【手続補正書】
【提出日】平成20年6月16日(2008.6.16)
【手続補正１】
【補正対象書類名】明細書
【補正対象項目名】特許請求の範囲
【補正方法】変更
【補正の内容】
【特許請求の範囲】
【請求項１】  ａ）基板およびｂ）放射線吸収層を含む印刷版であって、
前記放射線吸収層は、少なくとも１種の有機イオン基および結合された少なくとも１種の両親媒性対イオンを有する顔料を含む少なくとも１種の修飾顔料生成物を含有し、
前記両親媒性対イオンが、前記有機イオン基の電荷と反対の電荷を有する印刷版。
【請求項２】  前記有機イオン基がアニオン基であり、そして前記両親媒性対イオンがカチオン両親媒性対イオンである、請求項１記載の印刷版。
【請求項３】  前記アニオン基がカルボキシレート基またはスルホネート基を含む、請求項２記載の印刷版。
【請求項４】  前記アニオン基が置換もしくは非置換のカルボキシフェニルまたは置換もしくは非置換のスルホフェニル基に由来するアニオンである、請求項２記載の印刷版。
【請求項５】  前記カチオン両親媒性対イオンがアンモニウム基を含む、請求項２記載の印刷版。
【請求項６】  前記カチオン両親媒性対イオンが式Ｒ4Ｎ+で示されるイオンであり、式中、Ｒは、独立して、水素、置換もしくは非置換のアルキル基、置換もしくは非置換のアリール基、置換もしく非置換アルカリール（alkaryl）基、置換もしくは非置換のアラルキル基、または置換もしくは非置換のアルケニル基である、請求項２記載の印刷版。
【請求項７】  前記カチオン両親媒性対イオンが、４級アンモニウムイオンである、請求項２記載の印刷版。
【請求項８】  前記カチオン両親媒性対イオンが、ベンジルトリアルキルアンモニウムイオンである、請求項２記載の印刷版。
【請求項９】  前記アニオン基がカルボキシレート基であり、そして前記カチオン両親媒性対イオンがベンジルトリアルキルアンモニウムイオンである、請求項２記載の印刷版。
【請求項１０】  前記有機イオン基がカチオン基であり、そして前記両親媒性対イオンがアニオン両親媒性対イオンである、請求項１記載の印刷版。
【請求項１１】  前記カチオン基がアンモニウム基を含む、請求項１０記載の印刷版。
【請求項１２】  前記カチオン基が−Ｃ6Ｈ4−ＮＣ5Ｈ5+である、請求項１０記載の印刷版。
【請求項１３】  カチオン基が−Ｃ5Ｈ4+Ｎ−Ｒであり、式中、Ｒはアルキル基、アリール基、アルカリール基、アラルキル基またはアルケニル基である、請求項１０記載の印刷版。
【請求項１４】  前記アニオン両親媒性対イオンが、少なくとも１種のカルボキシレート基またはスルホネート基を含むイオンである、請求項１０記載の印刷版。
【請求項１５】  前記アニオン両親媒性対イオンが、アルキルカルボキシレートイオンである、請求項１０記載の印刷版。
【請求項１６】  前記放射線吸収層がポリマーをさらに含む、請求項１記載の印刷版。
【請求項１７】  前記ポリマーがフェノールポリマーである、請求項１６記載の印刷版。
【請求項１８】  前記フェノールポリマーがヒドロキシスチレンまたはフェノール−ホルムアルデヒドポリマーのホモポリマーまたはコポリマーである、請求項１７記載の印刷版。
【請求項１９】  前記ポリマーがアクリルポリマーである、請求項１６記載の印刷版。
【請求項２０】  前記アクリルポリマーが、アクリル酸、メタクリル酸またはそれらの塩を含むポリマーである、請求項１９記載の印刷版。
【請求項２１】  前記基板が親水性金属基板である、請求項１記載の印刷版。
【請求項２２】  前記基板がアルミニウムまたはポリエステルである、請求項１記載の印刷版。
【請求項２３】  前記放射線吸収層により吸収される放射線が、赤外線または近赤外線である、請求項１記載の印刷版。
【請求項２４】  前記顔料が、カーボンブラック、黒鉛、ビトレアス炭素、微細炭素、活性炭、活性木炭またはそれらの混合物である、請求項１記載の印刷版。
【請求項２５】  前記顔料がカーボンブラックである、請求項１記載の印刷版。
【請求項２６】  前記顔料が、白色顔料、黒色顔料、青色顔料、茶色顔料、シアン色顔料、緑色顔料、バイオレット色顔料、マゼンダ色顔料、赤色顔料、黄色顔料、それらの種々の色合い、またはそれらの組合せを含む、請求項１記載の印刷版。
【請求項２７】  前記有機基が、フェノールポリマーの溶解抑制剤である、請求項１７記載の印刷版。
【請求項２８】  前記両親媒性対イオンが、フェノール樹脂の溶解抑制剤である、請求項１７記載の印刷版。
【請求項２９】  前記有機基が、ＩＲレーザーにより化学的に変換された、請求項２７記載の印刷版。
【請求項３０】  前記両親媒性対イオンが、ＩＲレーザーにより化学的に変換された、請求項２８記載の印刷版。
【請求項３１】  画像を示すパターン内で、レーザー出力に前記印刷版を選択的に露出させて、少なくとも前記放射線吸収層を選択的に除去または化学的に修飾することを含む、請求項１記載の印刷版の画像形成方法。
【請求項３２】  一又は複数の画像形成層の一部を除去しうる溶媒に、前記印刷版をさらすことをさらに含む、請求項３１記載の方法。
【請求項３３】  請求項１の印刷版の中に含まれる顔料が、カーボンブラックである、請求項３１記載の方法。
【請求項３４】  透明な基板上に感光性コーティングを適用し、当該コーティングを画像態様に露光し、そして当該コーティングを現像し、乾燥することにより形成されるブラックマトリックスであって、
前記感光性コーティングが、下記：
ａ）少なくとも１種の有機イオン基および結合された少なくとも１種の両親媒性対イオンを有する顔料、ここで、前記両親媒性対イオンは、前記有機イオン基の電荷と反対の電荷を有する；
ｂ）式−Ｘ−Ｓｐ−［Ａ］pＲ、式−Ｘ−Ｓｐ−[Ｖｉｎｙｌ]Ｒ、式−Ｘ−Ｓｐ−[ＥＩ]Ｒ、又は式−Ｘ−Ｓｐ−［ＳＭＡ］Ｒにより表される、結合された少なくとも１種の有機基を有する顔料、
（式中、前記顔料に直接に結合されているＸは、アリーレン、ヘテロアリーレンまたはアルキレン基を示し、Ｓｐはスペーサ基を示し、ｐは１〜５００の整数であり、Ａは、約１〜約１２の炭素を有するアルキレンオキシド基を示し、そしてＰが１より大きい場合には、同一または異なっていてもよく、Ｖｉｎｙｌは、置換または非置換のアクリルまたはスチレンモノマー単位を繰り返すことを含むアクリルまたはスチレンホモまたはコポリマーを示し、ＥＩは、アルキレンアミン系ポリマーまたはコポリマーを示し、そしてＲは、水素、置換もしくは非置換のアルキル基、または置換もしくは非置換のアリール基を示し、ＳＭＡは、スチレン−無水マレイン酸ポリマーまたは誘導体を示し、そしてＲは水素、置換もしくは非置換のアルキル基、または置換もしくは非置換のアリール基を示す）；又は
ｃ）１種以上のポリマーコーティングで少なくとも部分的に被覆されている顔料：
を含む少なくとも１種の修飾顔料生成物を含むブラックマトリックス。
【請求項３５】  前記顔料がカーボンブラックである、請求項３４記載のブラックマトリックス。
【請求項３６】  前記感光性コーティングが、少なくとも１種の有機イオン基および結合された少なくとも１種の両親媒性対イオンを有する顔料を含む少なくとも１種の修飾顔料生成物ならびに溶媒を含有し、前記両親媒性対イオンが、前記有機イオン基と反対の電荷を有する、請求項３４記載のブラックマトリックス。
【請求項３７】  感光性樹脂をさらに含有する、請求項３６記載のブラックマトリックス。
【請求項３８】  前記感光性コーティングが、式−Ｘ−Ｓｐ−［Ａ］pＲで示される、結合された少なくとも１種の有機基を有する顔料を含む少なくとも１種の修飾顔料生成物を含有する、請求項３４記載のブラックマトリックス。
【請求項３９】  感光性樹脂をさらに含む、請求項３８記載のブラックマトリックス。
【請求項４０】  前記感光性コーティングが、式−Ｘ−Ｓｐ−［Ｖｉｎｙｌ］Ｒで示される、結合された少なくとも１種の有機基を有する顔料を含む少なくとも１種の修飾顔料生成物を含有する、請求項３４記載のブラックマトリックス。
【請求項４１】  感光性樹脂をさらに含む、請求項４０記載のブラックマトリックス。
【請求項４２】  前記感光性コーティングが、式−Ｘ−Ｓｐ−［ＥＩ］Ｒで示される、結合された少なくとも１種の有機基を有する顔料を含む少なくとも１種の修飾顔料生成物を含有する、請求項３４記載のブラックマトリックス。
【請求項４３】  感光性樹脂をさらに含む、請求項４２記載のブラックマトリックス。
【請求項４４】  前記感光性コーティングが、式−Ｘ−Ｓｐ−［ＳＭＡ］Ｒで示される、結合された少なくとも１種の有機基を有する顔料を含む少なくとも１種の修飾顔料生成物を含有する、請求項３４記載のブラックマトリックス。
【請求項４５】  感光性樹脂をさらに含む、請求項４４記載のブラックマトリックス。
【請求項４６】  前記感光性コーティングが、１種以上のポリマーコーティングで少なくとも部分的に被覆されている顔料を含む少なくとも１種の修飾顔料を含む、請求項３４記載のブラックマトリックス。
【請求項４７】  感光性樹脂をさらに含む、請求項４６記載のブラックマトリックス。
【請求項４８】  透明な基板上に感光性コーティングを適用し、当該コーティングを画像態様に露光し、そして当該コーティングを現像し、乾燥することにより形成されるブラックマトリックスであって、
前記感光性コーティングが、結合された少なくとも１種の有機イオン基を有する顔料を含む少なくとも１種の修飾顔料生成物を含み、そして
当該修飾顔料生成物が、前記顔料と、少なくとも１種のジアゾニウム試薬との反応により調製されたブラックマトリックス。
【請求項４９】  前記顔料がカーボンブラックである、請求項４８記載のブラックマトリックス。
【請求項５０】  透明な基板上に感光性コーティングを適用し、当該コーティングを画像態様に露光し、そして当該コーティングを現像し、乾燥することにより形成されるブラックマトリックスであって、
前記感光性コーティングが、結合された少なくとも１種の有機イオン基を有する顔料を含む少なくとも１種の修飾顔料生成物を含み、そして
当該修飾顔料生成物が、前記顔料と、少なくとも１種のアミン化合物と、亜硝酸塩との反応により調製されたブラックマトリックス。
【請求項５１】  前記アミン化合物が、芳香族アミン化合物である、請求項５０記載のブラックマトリックス。
【請求項５２】  前記顔料がカーボンブラックである、請求項５０記載のブラックマトリックス。
【請求項５３】  感光性コーティングを含むブラックマトリックスであって、
当該感光性コーティングが、顔料と、少なくとも１種のジアゾニウム試薬との反応により調製された、結合された少なくとも１種の有機基を有する顔料を含む少なくとも１種の修飾顔料生成物を含むブラックマトリックス。
【請求項５４】  感光性コーティングを含むブラックマトリックスであって、
当該感光性コーティングが、結合された少なくとも１種の有機基を有する顔料を含む少なくとも１種の修飾顔料生成物を含み、そして
当該修飾顔料生成物が、顔料と、少なくとも１種のアミン化合物と、亜硝酸塩との反応により調製された、ブラックマトリックス。
【請求項５５】  ａ）少なくとも１種の有機イオン基および結合された少なくとも１種の両親媒性対イオンを有する顔料、ここで、前記両親媒性対イオンは、前記有機イオン基の電荷と反対の電荷を有する；
ｂ）式−Ｘ−Ｓｐ−［Ａ］pＲ、式−Ｘ−Ｓｐ−[Ｖｉｎｙｌ]Ｒ、式−Ｘ−Ｓｐ−[ＥＩ]Ｒ、又は式−Ｘ−Ｓｐ−［ＳＭＡ］Ｒにより表される、結合された少なくとも１種の有機基を有する顔料、
（式中、前記顔料に直接に結合されているＸは、アリーレン、ヘテロアリーレンまたはアルキレン基を示し、Ｓｐはスペーサ基を示し、ｐは１〜５００の整数であり、Ａは、約１〜約１２の炭素を有するアルキレンオキシド基を示し、そしてＰが１より大きい場合には、同一または異なっていてもよく、Ｖｉｎｙｌは、置換または非置換のアクリルまたはスチレンモノマー単位を繰り返すことを含むアクリルまたはスチレンホモまたはコポリマーを示し、ＥＩは、アルキレンアミン系ポリマーまたはコポリマーを示し、そしてＲは、水素、置換もしくは非置換のアルキル基、または置換もしくは非置換のアリール基を示し、ＳＭＡは、スチレン−無水マレイン酸ポリマーまたは誘導体を示し、そしてＲは水素、置換もしくは非置換のアルキル基、または置換もしくは非置換のアリール基を示す）；又は
ｃ）１種以上のポリマーコーティングで少なくとも部分的に被覆されている顔料：
を含む前記感光性コーティング。
【請求項５６】  請求項５３記載のブラックマトリックスを含む画像ディスプレイ。
【請求項５７】  請求項５４記載のブラックマトリックスを含む画像ディスプレイ。